(57)【要約】【課題】記録媒体の走査方向の幅が広い場合であっても、色差の発生を抑制できる記録方法を提供することを目的とする。【解決手段】シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させるインク付着工程と、前記着色インク組成物の成分を凝集させる凝集剤を含有する処理液を、前記記録媒体へ付着させる処理液付着工程と、を備え、前記インク付着工程を、前記インクジェットヘッドを前記記録媒体との相対位置を走査方向へ変えながら前記着色インク組成物を吐出する走査を複数回行うことにより行い、前記インク付着工程における１回の走査の最大距離が５０ｃｍ以上である、  記録方法。【選択図】なし【特許請求の範囲】
【請求項１】
シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させるインク付着工程と、
前記着色インク組成物の成分を凝集させる凝集剤を含有する処理液を、前記記録媒体へ付着させる処理液付着工程と、を備え、
前記インク付着工程を、前記インクジェットヘッドを前記記録媒体との相対位置を走査方向へ変えながら前記着色インク組成物を吐出する走査を複数回行うことにより行い、
前記インク付着工程における１回の走査の最大距離が５０ｃｍ以上である、
記録方法。
【請求項２】
前記特色インク組成物が、オレンジインク組成物、レッドインク組成物、グリーンインク組成物、及びブルーインク組成物の少なくとも何れかを含む、
請求項１に記載の記録方法。
【請求項３】
前記着色インク組成物が、ブラックインク組成物をさらに含む、
請求項１又は２に記載の記録方法。
【請求項４】
前記記録媒体が、低吸収性記録媒体又は非吸収性記録媒体である。
請求項１〜３のいずれか一項に記載の記録方法。
【請求項５】
前記記録媒体を加熱する加熱工程を備え、加熱された前記記録媒体に対して前記インク付着工程を行う、又は、
前記インク付着工程において前記着色インク組成物が付着した領域へ風を送る送風工程を備える、
請求項１〜４のいずれか一項に記載の記録方法。
【請求項６】
前記インク付着工程において前記着色インク組成物を付着させる際の前記記録媒体の表面温度が、３０〜４５℃である、
請求項１〜５のいずれか一項に記載の記録方法。
【請求項７】
前記インク付着工程における１回の走査の最大時間が、０．８秒以上である、
請求項１〜６のいずれか一項に記載の記録方法。
【請求項８】
前記凝集剤が、多価金属塩、有機酸又はその塩、及びカチオン性樹脂の何れか１種以上である、
請求項１〜７のいずれか一項に記載の記録方法。
【請求項９】
前記インク付着工程における１回の走査の最大距離が５０〜５００ｃｍである、
請求項１〜８のいずれか一項に記載の記録方法。
【請求項１０】
前記着色インク組成物と前記処理液を付着させる記録領域が、前記着色インク組成物の付着量に対する前記処理液の付着量が５〜３０質量％の領域を有する、
請求項１〜９のいずれか一項に記載の記録方法。
【請求項１１】
前記インク付着工程における前記記録媒体の表面温度の温度差が１〜１０℃である、
請求項１〜１０のいずれか一項に記載の記録方法。
【請求項１２】
シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させるインク付着工程と、
前記着色インク組成物の成分を凝集させる凝集剤を含有する処理液を、前記記録媒体へ付着させる処理液付着工程と、を備え、
前記インク付着工程を、前記インクジェットヘッドを前記記録媒体との相対位置を走査方向へ変えながら前記着色インク組成物を吐出する走査を複数回行うことにより行い、
前記インク付着工程における前記着色インクを付着させる際の前記記録媒体の表面温度の差が１〜１０℃である、
記録方法。
【請求項１３】
請求項１〜１２の何れか一項に記載の記録方法で記録を行う記録装置。
【発明の詳細な説明】
【技術分野】
【０００１】
本発明は、記録方法に関する。
【背景技術】
【０００２】
インクジェット記録方法は、比較的単純な装置で、高精細な画像の記録が可能であり、各方面で急速な発展を遂げている。その中で、吐出安定性等について種々の検討がなされている。例えば、特許文献１には、ヘッド内における目詰まり耐性に優れ、かつ、耐擦性に優れる画像を形成できる水系インクジェットインク組成物を提供することを目的として、樹脂と、樹脂に対するＳＰ値の差が３以内の含窒素溶剤と、水と、を含み、前記含窒素溶剤の含有量は樹脂１質量部に対して２〜９質量部であり、標準沸点が２８０℃以上の有機溶剤の含有量が３質量％以下である、水系インクジェットインク組成物が開示されている。特許文献１のように、所定の溶剤を用いることで、記録媒体で樹脂が十分に溶解し造膜化しやすく耐擦性が優れ、かつ、ヘッド内で溶着した樹脂がクリーニングにより取れにくく回復しにくいということがないインク組成物は知られている。
【先行技術文献】
【特許文献】
【０００３】
【特許文献１】特開２０１７−１８６４７２号公報
【発明の概要】
【発明が解決しようとする課題】
【０００４】
インクジェットプリンタを用いて、幅が広い記録媒体へ記録することで表示用などに有用な記録物を得ることができる。今般、記録媒体の幅が広く１回の走査の距離が長い記録を行い、インクの成分を凝集させる処理液を使用し画質の向上を図る場合に、記録媒体の画像の場所により色が異なってしまう課題が生じた。
【０００５】
本発明は、上記のような場合において、記録物の色の差の発生を抑制できる記録方法を提供することを目的とする。
【課題を解決するための手段】
【０００６】
本発明者らは、上記課題を解決するために鋭意検討した。その結果、基本色インク組成物と特色インク組成物を併用することにより、上記課題を解決できることを見出して、本発明を完成させた。
【０００７】
すなわち、本発明は以下のとおりである。
〔１〕
シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させるインク付着工程と、
前記着色インク組成物の成分を凝集させる凝集剤を含有する処理液を、前記記録媒体へ付着させる処理液付着工程と、を備え、
前記インク付着工程を、前記インクジェットヘッドを前記記録媒体との相対位置を走査方向へ変えながら前記着色インク組成物を吐出する走査を複数回行うことにより行い、
前記インク付着工程における１回の走査の最大距離が５０ｃｍ以上である、
記録方法。
〔２〕
前記特色インク組成物が、オレンジインク組成物、レッドインク組成物、グリーンインク組成物、及びブルーインク組成物の少なくとも何れかを含む、
〔１〕に記載の記録方法。
〔３〕
前記着色インク組成物が、ブラックインク組成物をさらに含む、
〔１〕又は〔２〕に記載の記録方法。
〔４〕
前記記録媒体が、低吸収性記録媒体又は非吸収性記録媒体である。
〔１〕〜〔３〕のいずれか一項に記載の記録方法。
〔５〕
前記記録媒体を加熱する加熱工程を備え、加熱された前記記録媒体に対して前記インク付着工程を行う、又は、
前記インク付着工程において前記着色インク組成物が付着した領域へ風を送る送風工程を備える、
〔１〕〜〔４〕のいずれか一項に記載の記録方法。
〔６〕
前記インク付着工程において前記着色インク組成物を付着させる際の前記記録媒体の表面温度が、３０〜４５℃である、
〔１〕〜〔５〕のいずれか一項に記載の記録方法。
〔７〕
前記インク付着工程における１回の走査の最大時間が、０．８秒以上である、
〔１〕〜〔６〕のいずれか一項に記載の記録方法。
〔８〕
前記凝集剤が、多価金属塩、有機酸又はその塩、及びカチオン性樹脂の何れか１種以上である、
〔１〕〜〔７〕のいずれか一項に記載の記録方法。
〔９〕
前記インク付着工程における１回の走査の最大距離が５０〜５００ｃｍである、
〔１〕〜〔８〕のいずれか一項に記載の記録方法。
〔１０〕
前記着色インク組成物と前記処理液を付着させる記録領域が、前記着色インク組成物の付着量に対する前記処理液の付着量が５〜３０質量％の領域を有する、
〔１〕〜〔９〕のいずれか一項に記載の記録方法。
〔１１〕
前記インク付着工程における前記記録媒体の表面温度の温度差が１〜１０℃である、
〔１〕〜〔１０〕のいずれか一項に記載の記録方法。
〔１２〕
シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させるインク付着工程と、
前記着色インク組成物の成分を凝集させる凝集剤を含有する処理液を、前記記録媒体へ付着させる処理液付着工程と、を備え、
前記インク付着工程を、前記インクジェットヘッドを前記記録媒体との相対位置を走査方向へ変えながら前記着色インク組成物を吐出する走査を複数回行うことにより行い、
前記インク付着工程における前記着色インクを付着させる際の前記記録媒体の表面温度の差が１〜１０℃である、
記録方法。
〔１３〕
〔１〕〜〔１２〕の何れか一項に記載の記録方法で記録を行う記録装置。
【図面の簡単な説明】
【０００８】
【図１】本実施形態に用いる記録装置の構成を示す概略断面図である。
【図２】インク付着工程における記録装置の部分側面図であって、（ａ）はキャリッジが配置されていない態様を示し、（ｂ）はキャリッジが配置されている態様を示す。
【図３】本実施形態に用いる記録装置のキャリッジ周辺の構成例を示す概略斜視図である。
【図４】本実施形態に用いる記録装置が有するファンの一例を示す正面図である。
【発明を実施するための形態】
【０００９】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１０】
〔記録方法〕
本実施形態の記録方法は、シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させるインク付着工程と、前記着色インク組成物の成分を凝集させる凝集剤を含有する処理液を、前記記録媒体へ付着させる処理液付着工程と、を備え、前記インク付着工程を、前記インクジェットヘッドを前記記録媒体との相対位置を走査方向へ変えながら前記着色インク組成物を吐出する走査を複数回行うことにより行い、前記インク付着工程における１回の走査の最大距離が５０ｃｍ以上である。
【００１１】
上記のとおり、１回の走査の距離が長い記録方法においては、色差が大きくなるという固有の課題があることが分かってきた。走査の距離が長い記録装置としては例えばラージフォーマットプリンタなどが挙げられる。
【００１２】
処理液を用いる場合、記録媒体に付着したインク滴を早期に固定できるため、画質向上するが、その反面、複数色のインク組成物を用いる場合、インク組成物の付着順により凝集に差が出るため、色差が大きくなるものと推測する。一方で、反応液を用いない場合は、付着したインク滴同士が固定される前により集まりが発生して色差が大きくなってしまうと推測する。色差は１枚の記録媒体内において同一色の画像を記録しようとしたにも拘らず場所による色の差である。特に走査方向の幅が広い記録媒体を用いる場合、１回の走査の距離が長くなり走査方向の色差が発生しやすい傾向がある。１回の走査の距離が長い場合、後述する色差の原因となる影響が大きいためと推測する。該色差を面内色差ともいう。
【００１３】
また、記録媒体の走査方向の幅が広い記録装置においては1パスの走査時間が長く、そのような場合には、生産性、画質を向上させるためキャリッジの移動スピードをあげて記録を行うことも行われる。しかし、これと同時に、移動による風の影響が強くなり、当該影響が色差に影響を与えうる。
【００１４】
処理液を用いることに加えてまたは代えてインクの乾燥を早めるために加熱温度を高くすることで画質改善することが行われる。また、低吸収性記録媒体や非吸収性記録媒体に対して記録を行う場合に、記録中に加熱も行うことで乾燥を促進することが、画質の向上に効果的ではある。しかし、記録中の乾燥によっても色差が大きくなりやすいことが分かってきた。これは、乾燥手段として、記録媒体背面にヒーターを設けたり、風を当てたりした場合に、幅方向で温度のむらが生じやすく、特にラージフォーマットプリンタ等の記録媒体の走査方向の幅が広い記録装置においては、色差の観点から無視できないものであることに起因すると推測する。特に、走査方向の幅が広い場合には、ヒーターのつなぎ目や風の流出口の数が多く、装置の構成上からして面内温度差が生じやすい箇所が多いことや、温度差が大きくなりやすいことにも要因がある。結果として、上述の加熱の場所による温度ムラによる色差が生じることとなる。
【００１５】
さらに、加熱により、ノズル近傍の乾燥が進むことにより、吐出されるドットの重量自体が変化したり、メニスカスの不均一化による着弾ずれの発生も生じ得る。走査方向の幅が広い記録装置を用いた記録方法においては、このような複合的な要因により、色差が生じやすいものとなると推測する。
【００１６】
これに対して、本実施形態においては、基本色インク組成物と特色インク組成物を併用することにより、色差を低減することができる。これは、特色インク組成物を用いて特色領域の色を記録するほうが、着弾ずれやなどにより記録面上のドットの寄り集まり状態に多少の揺らぎが生じたり、乾燥ムラによるドットの広がり方の差が生じたとしても、色差として表れにくいことによるものと推測する。これにより、基本色領域から特色領域まで色差の小さい記録をすることができる。以下、各工程について詳述する。特色領域は画像の特色で記録する部分である。
【００１７】
一方、２色のインクのドットを密集させ混在させることなどによる２次色として特色領域の色を記録媒体上に再現する場合、上記の記録面上のドットの寄り集まり状態の揺らぎやドットの広がり方の差が生じたり、またインク付着順が異なった場合に、色差が大きくなると推測する。
【００１８】
〔インク付着工程〕
インク付着工程は、シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させる工程である。ここで、インクジェットヘッドは、インク組成物を記録媒体に向けて吐出して記録を行うヘッドであり、当該ヘッドは、収容したインク組成物をノズルから吐出させるキャビティーと、インク組成物に対して吐出の駆動力を付与する吐出駆動部と、ヘッドの外へインク組成物を吐出するノズルと、を有する。吐出駆動部は、機械的な変形によりキャビティーの容積を変化させる圧電素子などの電気機械変換素子や、熱を発することによりインクに気泡を発生させ吐出させる電子熱変換素子などを用いて形成することができる。
【００１９】
また、インク付着工程は、インクジェットヘッドを記録媒体との相対位置を走査方向へ変えながらインク組成物を吐出する走査を複数回行うことにより行う。すなわち、インクジェットヘッドは、シリアルヘッドであることが好ましい。シリアルヘッドを用いたシリアル方式では、ヘッドを主走査方向（記録媒体の横方向、幅方向）に沿って移動させ、この移動に連動してヘッドのノズル開口からインク滴を吐出させることにより、記録媒体上に画像を記録することができる。ヘッドはキャリッジに搭載されるなどしてキャリッジが主走査方向に移動することで走査が行われてもよい。本発明において走査を主走査ともいう。
【００２０】
そして、走査と副走査を交互に繰り返し行うことで、徐々に記録媒体を副走査方向（記録媒体の縦方向、搬送方向）に沿って移動させることで記録を進める。
【００２１】
１回の走査の最大距離は、５０ｃｍ以上であり、好ましくは５０〜５００ｃｍであり、より好ましくは５０〜４００ｃｍであり、さらに好ましくは５５〜３００ｃｍであり、よりさらに好ましくは６０〜２００ｃｍである。また特に好ましくは７０〜１９０ｃｍであり、より特に好ましくは１００〜１８０ｃｍであり、さらに特に好ましくは１３０〜１７０ｃｍである。
【００２２】
該距離が５０ｃｍ以上であることにより、表示用などに有用な記録物とすることできる。反面、得られる記録物の色差が生じやすくなるが、本発明によれば色差の低減が可能となり、本発明が特に有用である。また、該距離の上限は特に制限されないが、記録装置の構成の観点や、色差の低減がより優れることから５００ｃｍ以下が好ましい。
【００２３】
「１回の走査の最大距離」とは、１回の走査において、記録媒体の走査方向の端から端まで仮に記録した場合に、インクジェットヘッドの一点が記録媒体と対向している距離をいう。なお記録方法を行う際には記録すべき画像に応じて上記の１回の走査の最大距離より短い距離である走査も行われてもよい。
【００２４】
１回の走査の最大距離が長いほうが得られる記録物の色差が生じ易くなる原因として、前述したこと以外に、記録媒体の搬送の際にプラテンから記録媒体から浮いてしまう部分が生じて、インクの着弾ずれ（位置ずれ）が生じることもあると推測する。さらには記録媒体の浮きは記録媒体の表面温度の温度差の原因にもなる。
【００２５】
記録媒体は、記録媒体の走査方向の幅が、上記の１回の走査の最大距離の範囲であるものを用いることが好ましい。この場合、１回の走査の最大距離を上記のものにすることができる点で好ましい。
【００２６】
インク付着工程における１回の走査の最大時間は、好ましくは０．８秒以上である。好ましくは０．８〜５秒以下であり、より好ましくは０．８秒以上４秒以下であり、さらに好ましくは０．８秒以上３秒以下であり、特に好ましくは１．５〜２．５秒である。１回の走査の最大時間が上記範囲内であることにより、記録媒体の幅が上述の範囲である記録媒体へ記録するために適す点で好ましい。また、得られる記録物の色差が生じやすくなるが、色差の低減が可能となる点で本発明が特に有用である。なお、「１回の走査の最大時間」とは、１回の走査において、記録媒体の走査方向の端から端まで仮に記録した場合に、インクジェットヘッドの一点が記録媒体と対向している時間をいう。なお記録方法を行う際には記録すべき画像に応じて上記の１回の走査の最大時間より短い時間の走査も行われてもよい。
なお、インク付着工程における平均走査速度は、好ましくは６０〜１００ｃｍ／秒である。
【００２７】
記録媒体を加熱する加熱工程を備え、加熱された記録媒体の記録面へインク付着工程を行うことが好ましい。記録媒体の加熱には、プラテンヒーターや温風ヒーターやＩＲヒーターなどの加温機構を用いることができる。インク付着工程においてインク組成物を付着する際の記録媒体の表面温度は、好ましくは２０〜６０℃であり、より好ましくは２０〜５０℃であり、さらにより好ましくは２５〜４５℃であり、さらに好ましくは３０〜４０℃であり、特に好ましくは３２〜３８℃である。記録媒体を加熱し表面温度を高くすることにより、得られる記録物の画質が向上する傾向にある。また、記録媒体の表面温度が６０℃以下であることにより、吐出安定性、ノズルの目詰まり回復性がより向上する傾向にある。
【００２８】
また、加熱工程は記録装置自身の発熱を記録媒体が受ける等によって記録媒体の表面温度が常温よりも高くなってしまうことであってもよい。つまり記録媒体の表面温度が常温より高いことを意味する。
【００２９】
なお上記の記録媒体の表面温度は、プラテンに支持されている記録媒体のヘッドの主走査中に対向しうる領域の全体の温度を測定し、該領域の記録中の記録媒体の表面の温度のうちの最高温度とする。
【００３０】
該領域の記録中の記録媒体の表面の温度は最高温度より低い温度である部分を生じて温度差を生じることがある。温度差は、１回の走査の最大距離が長いほうが大きい傾向がある。この原因としては記録媒体の走査方向の全体に亘り均一に加熱することが難しくなることが挙げられる。
【００３１】
プラテンに支持されている記録媒体のヘッドの主走査中に対向しうる領域の全体の温度のうちの最高温度と最低温度の温度差は１０℃以下が好ましく７℃以下がより好ましく５℃以下がさらに好ましい。また上記温度差は１℃以上が好ましく２℃以上がより好ましく３℃以上がさらに好ましい。温度差が上記範囲である場合、色差低減がより優れる点や、記録装置の設計の自由度が高くなる点で好ましい。また上記の記録媒体の表面温度が低いほうが温度差が小さくなる傾向があり色差低減の点で好ましい。
【００３２】
加熱工程によりインクの乾燥を促進することにより、濃度ムラ抑制などがより優れ、また色差抑制にもより優れる。インク付着時の記録媒体表面温度は、この点で上記範囲以上であることが好ましい。一方、色差の発生の原因となる温度ムラ発生などを抑えることで色差抑制がより優れる点で、記録媒体の表面温度が上記範囲以下であることが好ましい。
【００３３】
また、インク付着工程において、インク組成物が付着した領域へ風を送る送風工程を備えることが好ましい。送風方法としては、特に制限されないが、例えば、記録装置に設けられた送風機などが用いられる。送風工程を有することにより、記録媒体に付着したインク組成物を効率的に乾燥させることができ、得られる記録物のざらつきや濃度むらがより抑制される傾向にある。
【００３４】
送風工程の風の温度は記録媒体を加熱するような温風であってもよく、この場合上記の記録媒体を加熱する加熱工程として風を送ってもよい。この場合、得られる記録媒体の画質がより向上する点で好ましい。または記録媒体を加熱しないような常温の風として風を送ってもよい。この場合もインクの成分の蒸発を促進し得られる記録媒体の画質がより向上する点や、ヘッドからのインクの吐出安定性が優れる点で好ましい。送る風の温度は、上記の記録媒体を加熱する加熱工程の記録媒体の表面温度の温度としてもよい。または、送る風の温度は具体的に７０℃以下が好ましく、５０℃以下がより好ましく、４０℃以下がさらに好ましく、３５℃以下がさらにより好ましく、３０℃以下が特に好ましい。風の温度の下限は限るものでは無いが２０℃以上が好ましい。一方、送風工程を備える場合、記録媒体の表面温度の差が生じやすい傾向がある。
【００３５】
着色インク組成物と処理液を付着させる記録領域に、着色インク組成物の総付着量が５〜３０ｍｇ／ｉｎｃｈ2である領域を有することが好ましく、７〜２５質量％である領域を有することがより好ましく、９〜２０質量％である領域を有することがさらに好ましい。このような付着量の領域を有することにより、表示用などに有用な記録物とすることができる。さらに、該記録領域のうちの着色インク組成物の総付着量が最大である領域の総付着量が上記範囲であるとすることも上記の点で好ましい。
【００３６】
（後加熱工程）
インク付着工程の後において、記録媒体をさらに加熱する後加熱工程を有することが好ましい。加熱方法としては、特に制限されないが、例えば、プラテンヒーターや温風ヒーターやＩＲヒーターが挙げられる。加熱温度は、好ましくは６０℃以上とすることができる。好ましくは７０〜１１０℃であり、より好ましくは８０〜１００℃である。
【００３７】
（着色インク組成物）
着色インク組成物は、シアンインク組成物と、マゼンタインク組成物と、イエローインク組成物と、該３つの各インク組成物とは色相角が異なる特色インク組成物とを含む。ここで、「色相角」は、当該インク組成物で画像を記録して測色した時のＣＩＥ表色系の色相角をいう。具体的には各１個のインクを用いて画像を記録し、記録部を測色する。ここで用いる画像は、インクの付着による記録部の色相角が確認できるものであればよい。例えば白色の記録媒体にインクを付着量１０ｍｇ／ｉｎｃｈ2で付着させたものが挙げられる。
【００３８】
シアンインク組成物、マゼンタインク組成物、イエローインク組成物はそれぞれお互いに色相角が異なる。本実施形態において、シアンインク組成物の色相角（∠Ｈ°）は、２３０°〜２６０°であり、マゼンタインク組成物の色相角（∠Ｈ°）は、３３０°〜３６０°であり、イエローインク組成物の色相角（∠Ｈ°）は、８０°〜１１０°であるものが好ましい。シアンインク組成物、マゼンタインク組成物、イエローインク組成物、及び特色インク組成物は、それぞれ上記の色相角を有する有彩色の色の記録が可能な有彩色インクである。
【００３９】
特色インク組成物としては、色相角が、記録方法で用いるシアンインク組成物とマゼンタインク組成物とイエローインク組成物からそれぞれ異なるものであれば特に制限されないが、例えば、オレンジインク組成物、レッドインク組成物、グリーンインク組成物、及びブルーインク組成物の少なくとも何れかが挙げられる。特色インク組成物は、１種単独で用いても、２種以上を組み合わせて用いてもよい。特色インク組成物を用いることにより、色差が抑制される。特色インクの色相角は、限るものでは無いが、後述する範囲のものが好ましい。また、例えば上述のシアンインク組成物、マゼンタインク組成物、イエローインク組成物の好ましい色相角の範囲外のものであってもよい。
【００４０】
また、上記の他、着色インク組成物は、ブラックインク組成物をさらに含んでもよい。ブラックインク組成物を用いることにより、得られる記録物の色表現領域がより拡大する傾向にある。なお特色インク組成物はブラックインク組成物ではないものである。
【００４１】
着色インク組成物に含まれる各インク組成物は、色材を含む。好ましくは溶剤を含み、必要に応じて、樹脂、ワックス、消泡剤、界面活性剤を含むことができる。樹脂微粒子及び有機溶剤を含有することが好ましい。水系インク組成物であることが好ましい。水系の組成物は主要な溶媒成分の1つとして水を含む組成物であり、水の含有量は好ましくは４５質量％以上である。着色インク組成物に含まれる各インク組成物は、それぞれ、用いる色材の種類が異なる等により色相角が異なること以外は、その基本組成は独立して同様のものを例示することができる。以下、各成分について説明する。
【００４２】
（色材）
色材としては、顔料及び染料が挙げられる。耐光性が優れるなどの点で顔料が好ましい。
シアンインク組成物に用いられる顔料としては、特に制限されないが、例えば、Ｃ．Ｉ．ピグメントブルー１、２、３、１５、１５：１、１５：２、１５：３、１５：３４、１５：４、１６、１８、２５、６５、６６、Ｃ．Ｉ．バットブルー４、６０が挙げられる。なお、シアンインク組成物の色相角（∠Ｈ°）は、好ましくは２３０°〜２６０°である。
【００４３】
マゼンタインク組成物に用いられる顔料としては、特に制限されないが、例えば、Ｃ．Ｉ．ピグメントレッド１、２、３、４、５、６、７、８、９、１０、１１、１２、１４、１５、１６、１８、１９、２１、２２、２３、３０、３１、３２、３７、３８、４０、４１、４２、４８（Ｃａ）、４８（Ｍｎ）、５３、５７（Ｃａ）、５７：１、８８、１１４、１２２、１２３、１４４、１４６、１５０、１６６、１６８、１７０、１７１、１７６、１７９、１８４、１８５、１８７、２０２、２０９、２１９、２２４、２４５、又はＣ．Ｉ．ピグメントバイオレット３３、４３、５０、が挙げられる。なお、マゼンタインク組成物の色相角（∠Ｈ°）は、好ましくは３３０°〜３６０°である。
【００４４】
イエローインク組成物に用いられる顔料としては、特に制限されないが、例えば、Ｃ．Ｉ．ピグメントイエロー１、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。なお、イエローインク組成物の色相角（∠Ｈ°）は、好ましくは８０°〜１１０°である。
【００４５】
ブラックインク組成物に使用されるカーボンブラックとしては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【００４６】
オレンジインク組成物に用いられる顔料としては、特に制限されないが、例えば、Ｃ．Ｉ．ピグメントオレンジ５，４３，６２が挙げられる。なお、オレンジインク組成物の色相角（∠Ｈ°）は、好ましくは３０°〜８０°である。
【００４７】
レッドインク組成物に用いられる顔料としては、特に制限されないが、例えば、Ｃ．Ｉ．ピグメントレッド１７、４９：２、１１２、１１７、１７５、１７７、１７８、１８８、２５４、２５５、２６４、１４９が挙げられる。なお、レッドインク組成物の色相角（∠Ｈ°）は、好ましくは０°〜３０°である。
【００４８】
グリーンインク組成物に用いられる顔料としては、特に制限されないが、例えば、Ｃ．Ｉ．ピグメントグリーン７，３６が挙げられる。なお、グリーンインク組成物の色相角（∠Ｈ°）は、好ましくは１１０°〜２３０°である。
【００４９】
ブルーインク組成物に用いられる顔料としては、特に制限されないが、例えば、Ｃ．Ｉ．ピグメントブルー２１、２２、６０、６４、Ｃ．Ｉ．ピグメントバイオレット３、１９、２３、３２、３６、３８が挙げられる。なお、ブルーインク組成物の色相角（∠Ｈ°）は、好ましくは２６０°〜３３０°である。
【００５０】
また、染料としては、Ｃ．Ｉ．アシッドイエロー、Ｃ．Ｉ．アシッドレッド、Ｃ．Ｉ．アシッドブルー、Ｃ．Ｉ．アシッドオレンジ、Ｃ．Ｉ．アシッドバイオレット、Ｃ．Ｉ．アシッドブラックのような酸性染料；Ｃ．Ｉ．ベーシックイエロー、Ｃ．Ｉ．ベーシックレッド、Ｃ．Ｉ．ベーシックブルー、Ｃ．Ｉ．ベーシックオレンジ、Ｃ．Ｉ．ベーシックバイオレット、Ｃ．Ｉ．ベーシックブラックのような塩基性染料；Ｃ．Ｉ．ダイレクトイエロー、Ｃ．Ｉ．ダイレクトレッド、Ｃ．Ｉ．ダイレクトブルー、Ｃ．Ｉ．ダイレクトオレンジ、Ｃ．Ｉ．ダイレクトバイオレット、Ｃ．Ｉ．ダイレクドブラックのような直接染料；Ｃ．Ｉ．リアクティブイエロー、Ｃ．Ｉ．リアクティブレッド、Ｃ．Ｉ．リアクティブブルー、Ｃ．Ｉ．リアクティブオレンジ、Ｃ．Ｉ．リアクティブバイオレット、Ｃ．Ｉ．リアクティブブラックのような反応性染料；Ｃ．Ｉ．ディスパースイエロー、Ｃ．Ｉ．ディスパースレッド、Ｃ．Ｉ．ディスパースブルー、Ｃ．Ｉ．ディスパースオレンジ、Ｃ．Ｉ．ディスパースバイオレット、Ｃ．Ｉ．ディスパースブラックのような分散染料が挙げられる。色材は、１種単独で用いても２種以上を併用してもよい。
【００５１】
色材が顔料である場合には、顔料分散液の状態で用いることができる。顔料分散液は、顔料及び溶剤の他、必要に応じて分散剤を含んでもよい。溶剤としては、水及びジエチレングリコールなどの親水性溶剤が挙げられる。また、分散剤としては、スチレン―アクリル酸共重合体が挙げられる。特に制限されないが、分散剤の酸価はその分散性の観点から、２０ｍｇＫＯＨ／ｇ以上が好ましい。
【００５２】
各着色インク組成物の色材の含有量は、それぞれ異なってもよいが、インク組成物の総量に対して、好ましくは０．１〜１０質量％であり、より好ましくは０．５〜７質量％であり、さらに好ましくは１〜４質量％であり、さらにより好ましくは１．５〜４質量％である。
【００５３】
（溶媒）
溶媒としては、水及び有機溶剤が挙げられる。水の含有量は、インク組成物の総量に対して、好ましくは５０〜８０質量％であり、より好ましくは５５〜７５質量％であり、さらに好ましくは６０〜７０質量％である。
【００５４】
有機溶剤としては、特に限定されないが、具体的には、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類が挙げられる。有機溶剤は、１種単独で用いてもよく、２種以上を組み合わせて用いてもよい。
【００５５】
有機溶剤の含有量は、インク組成物の総量に対して、好ましくは５〜４０質量％であり、より好ましくは１０〜３５質量％であり、さらに好ましくは１５〜３０質量％である。
【００５６】
（含窒素溶剤）
また、有機溶剤としては、含窒素溶剤を用いることも好ましい。含窒素溶剤を含むことにより、含窒素溶剤の樹脂粒子の軟化を促進させる効果により、加熱温度が低い場合でも耐擦性がより向上する傾向にある。また、記録媒体が低吸収性記録媒体または非吸収性記録媒体である場合、記録媒体表面を軟化させる効果により密着性がより向上する傾向にある。含窒素溶剤としては、特に限定されないが、ピロリドン系溶剤、イミダゾリジノン系溶剤、アミドエーテル系溶剤、ピリジン系溶剤、ピラジン系溶剤、ピリドン系溶剤、が挙げられる。
【００５７】
また、含窒素溶剤として好ましくはアミド系溶剤が挙げられる。アミド系溶剤としては、環状アミド系溶剤、非環状アミド系溶剤が挙げられる。環状アミド系溶剤としては上記のピロリドン系などが挙げられる。非環状アミド系溶剤としては上記のアミドエーテル系溶剤が挙げられる。ピロリドン系溶剤が中でも好ましく、例えば、２−ピロリドン、Ｎ−メチル−２−ピロリドン、Ｎ−エチル−２−ピロリドンが挙げられる。含窒素溶剤は、１種単独で用いてもよく、２種以上を併用してもよい。
【００５８】
上記観点から、含窒素溶剤の含有量は、インク組成物の総量に対して、好ましくは３〜２５質量％であり、より好ましくは５〜２３質量％であり、さらに好ましくは１０〜２１質量％である。
【００５９】
有機溶剤のうち含窒素溶剤以外の有機溶剤の含有量は、好ましくは１〜２０質量％であり、より好ましくは５〜２０質量％であり、さらに好ましくは８〜１６質量％である。含窒素溶剤以外の有機溶剤の中でも、ポリオール類、アルキレングリコールエーテル類が好ましい。ポリオール類は分子中に水酸基を２個以上有する有機溶剤である。該水酸基数は２〜３が好ましい。アルキレングリコールエーテル類はアルキレングリコールのモノ又はジエーテルである。エーテルはアルキルエーテルが好ましく炭素数１〜５のアルキルエーテルがより好ましい。アルキレングリコールは炭素数２〜５が好ましい。
【００６０】
有機溶剤は、標準沸点が１８０〜２８０℃のものを含むことが好ましく、２００〜２６０℃のものを含むことがより好ましく、２１０〜２５０℃のものを含むことがさらに好ましい。この場合、画像の各種画質がより優れる点で好ましい。
【００６１】
また、有機溶剤は、標準沸点が２８０℃超のものの組成物に対する含有量が１質量％以下であることが好ましく、０．５質量％以下であることがより好ましく、０．１質量％以下であることがさらに好ましく、下限は０質量％でもよい。この場合、画像の各種画質がより優れる点で好ましい。
【００６２】
（樹脂）
樹脂としては、インク組成物中で溶解するもの、又は、エマルションなど微粒子の形態で分散するものが挙げられる。このような樹脂を用いることにより、耐擦性により優れた記録物が得られる傾向にある。特に、記録媒体とインク塗膜との結着性（耐擦性）の向上に寄与する傾向がある。このような樹脂としては、特に限定されないが、例えば、アクリル樹脂、酢酸ビニル樹脂、塩化ビニル樹脂、ブタジエン樹脂、スチレン樹脂、ポリエステル樹脂、架橋アクリル樹脂、架橋スチレン樹脂、ベンゾグアナミン樹脂、フェノール樹脂、シリコーン樹脂、エポキシ樹脂、ウレタン樹脂、パラフィン樹脂、フッ素樹脂、及び水溶性樹脂、並びにこれらの樹脂を構成する単量体を組み合わせた共重合体が挙げられる。共重合体としては、特に限定されないが、例えば、スチレンブタジエン樹脂、スチレンアクリル樹脂が挙げられる。また、樹脂としては、これら樹脂を含むポリマーラテックスを用いることができる。例えば、アクリル樹脂、スチレンアクリル樹脂、スチレン樹脂、架橋アクリル樹脂、架橋スチレン樹脂の微粒子を含むポリマーラテックスが挙げられる。なお、樹脂は、１種単独で用いてもよいし２種以上を併用してもよい。
【００６３】
アクリル樹脂は少なくともアクリル系モノマーを単量体として用いて重合して得た単重合体または共重合体である樹脂である。アクリル系モノマーとしては、(メタ)アクリレート、(メタ)アクリル酸、アクリルアミド、アクリロニトリルなどが挙げられる。アクリル樹脂が共重合体の場合、他のモノマーとしてビニル系モノマーを用いたアクリル−ビニル樹脂などが挙げられ、中でもビニル系モノマーとしてスチレンを用いたスチレンアクリル樹脂などが挙げられる。
樹脂は、アクリル樹脂、ウレタン樹脂、ポリエステル樹脂などが入手しやすく、所望の特性を有する樹脂として得やすい点で好ましい。
【００６４】
樹脂の含有量は、インク組成物の総量に対して、好ましくは１〜１２．５質量％であり、より好ましくは２〜１０質量％であり、さらに好ましくは３〜７．５質量％である。樹脂の含有量が１質量％以上であることにより、上記のとおり、耐擦性がより向上する傾向にある。また、樹脂の含有量が１２．５質量％以下であることにより、インクの粘度が低下し吐出安定性に優れ、目詰まり回復性に優れる傾向にある。
【００６５】
（ワックス）
ワックスとしては、インク組成物中で溶解するもの、又は、エマルションなど微粒子の形態で分散するものが挙げられる。このようなワックスを用いることにより、耐擦性により優れた記録物が得られる傾向にある。特に、記録媒体上のインク塗膜の表面（空気とインク塗膜の界面）に偏在することによる耐擦性の向上に寄与する傾向がある。このようなワックスとしては、特に制限されないが、例えば、高級脂肪酸と高級１価アルコールまたは２価アルコール（好ましくは１価アルコール）とのエステルワックス、パラフィンワックス、マイクロクリスタリンワックス若しくはオレフィンワックス又はこれらの混合物が挙げられる。
【００６６】
ワックスの含有量は、インク組成物の総量に対して、好ましくは０．１〜５質量％であり、好ましくは０．２〜４質量％であり、好ましくは０．３〜３質量％である。ワックスの含有量が０．１質量％以上であることにより、上記のとおり、耐擦性がより向上する傾向にある。また、ワックスの含有量が５質量％以下であることにより、インクの粘度が低下し吐出安定性に優れ、目詰まり回復性に優れる傾向にある。
【００６７】
（界面活性剤）
界面活性剤としては、特に限定されないが、例えば、アセチレングリコール系界面活性剤、フッ素系界面活性剤、及びポリシロキサン系界面活性剤が挙げられる。
【００６８】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００６９】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００７０】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００７１】
界面活性剤の含有量は、インク組成物の総量に対して、好ましくは０．１〜３質量％であり、より好ましくは０．２〜２質量％であり、さらに好ましくは０．３〜１．５質量％である。
【００７２】
（消泡剤）
消泡剤としては、特に制限されないが、例えば、シリコーン系消泡剤、ポリエーテル系消泡剤、脂肪酸エステル系消泡剤、及びアセチレングリコール系消泡剤が挙げられる。消泡剤の市販品としては、ＢＹＫ−０１１、ＢＹＫ−０１２、ＢＹＫ−０１７、ＢＹＫ−０１８、ＢＹＫ−０１９、ＢＹＫ−０２０、ＢＹＫ−０２１、ＢＹＫ−０２２、ＢＹＫ−０２３、ＢＹＫ−０２４、ＢＹＫ−０２５、ＢＹＫ−０２８、ＢＹＫ−０３８、ＢＹＫ−０４４、ＢＹＫ−０８０Ａ、ＢＹＫ−０９４、ＢＹＫ−１６１０、ＢＹＫ−１６１５、ＢＹＫ−１６５０、ＢＹＫ−１７３０、ＢＹＫ−１７７０（以上商品名、ビックケミー・ジャパン株式会社製）、サーフィノールＤＦ３７、ＤＦ１１０Ｄ、ＤＦ５８、ＤＦ７５、ＤＦ２２０、ＭＤ−２０、エンバイロジェムＡＤ０１（以上全て商品名、日信化学工業社（Nissin Chemical Industry Co.,Ltd.）製）が挙げられる。消泡剤は、１種単独で用いてもよく、２種以上を混合して用いてもよい。
【００７３】
消泡剤の含有量は、インク組成物の総量に対して、好ましくは０．０３〜０．７質量％であり、より好ましくは０．０５〜０．５質量％であり、さらに好ましくは０．０８〜０．３質量％である。
【００７４】
（その他の成分）
本実施形態で用いるインク組成物は、その他必要に応じて、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を含んでもよい。
【００７５】
（記録媒体）
記録媒体として、例えば、吸収性記録媒体、低吸収性記録媒体、又は非吸収性記録媒体が挙げられる。このなかでも、低吸収性記録媒体、又は非吸収性記録媒体が、表示用などに有用な記録物の作成ができる点で好ましい。このような記録媒体を用いることにより、得られる記録物のざらつきや濃度むら、色差が生じやすく、本発明が特に有用である。
【００７６】
吸収性記録媒体としては、特に限定されないが、例えば、インク組成物の浸透性が高い電子写真用紙などの普通紙、インクジェット用紙（シリカ粒子やアルミナ粒子から構成されたインク吸収層、あるいは、ポリビニルアルコール（ＰＶＡ）やポリビニルピロリドン（ＰＶＰ）等の親水性ポリマーから構成されたインク吸収層を備えたインクジェット専用紙）等が挙げられる。
【００７７】
低吸収性記録媒体としては、特に限定されないが、例えば、表面にインクを受容するための塗工層が設けられた塗工紙が挙げられる。塗工紙としては、特に限定されないが、例えば、アート紙、コート紙、マット紙等の印刷本紙、壁紙等が挙げられる。
【００７８】
非吸収性記録媒体としては、特に限定されないが、例えば、ポリ塩化ビニル、ポリエチレン、ポリプロピレン、ポリエチレンテレフタレート（ＰＥＴ）、ポリカーボネート、ポリスチレン、ポリウレタン等のプラスチック類のフィルムやプレート；鉄、銀、銅、アルミニウム等の金属類のプレート；又はそれら各種金属を蒸着により製造した金属プレートやプラスチック製のフィルム、ステンレスや真鋳等の合金のプレート；紙や布、フィルム等の基材にポリ塩化ビニル、ポリエチレン、ポリプロピレン、ポリエチレンテレフタレート（ＰＥＴ）、ポリカーボネート、ポリスチレン、ポリウレタン等のプラスチック類のフィルムを接着（コーティング）した記録媒体等が挙げられる。
【００７９】
ここで、「低吸収性記録媒体」又は「非吸収性記録媒体」は、ブリストー（Ｂｒｉｓｔｏｗ）法において接触開始から３０ｍｓｅｃまでの水吸収量が１０ｍＬ／ｍ2以下である記録媒体をいう。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。なお、低吸収性記録媒体は、上記の水吸収量が、５ｍＬ／ｍ2以上、１０ｍＬ／ｍ2以下である記録媒体をいう。一方、吸収性記録媒体は、上記の水吸収量が１０ｍＬ／ｍ2超である記録媒体をいう。
【００８０】
また、非吸収性記録媒体又は低吸収性記録媒体は、記録面の水に対する濡れ性によって分類することができる。例えば、記録媒体の記録面に０．５μＬの水滴を滴下し、接触角の低下率（着弾後０．５ミリ秒における接触角と５秒における接触角の比較）を測定することによって記録媒体を特徴付けることができる。より具体的には、記録媒体の性質として、「非吸収性記録媒体」の非吸収性は上記の低下率が１％未満のことを指し、「低吸収性記録媒体」の低吸収性は上記の低下率が１％以上５％未満のことを指す。また、吸収性とは上記の低下率が５％以上のことを指す。なお、接触角はポータブル接触角計  ＰＣＡ−１（協和界面科学株式会社製）等を用いて測定することができる。
【００８１】
〔処理液付着工程〕
処理液付着工程は、着色インク組成物の成分を凝集させる凝集剤を含有する処理液を、記録媒体へ付着させる工程である。なお、処理液は、少なくとも、着色インク組成物が付着した領域、又は、着色インク組成物を付着させる領域に対して行う。処理液付着工程を備えることにより、着色インク組成物の成分が記録媒体の表面で凝集しやすくなり、インクの成分を記録媒体上で早期に固定できる。処理液を用いない場合に記録媒体上でインク滴同士がブリードして濃度むらが生じることに起因して結果として生じる色差を、処理液を用いることで濃度むらが抑制され色差も低減できる。また、処理液を用いることで、濃度むら低減のために記録媒体を加熱しインクを早期に固定することを最小限とすることができ、結果的に色差が低減できる。
【００８２】
しかし処理液を用いた場合でも、色差が生じる場合がある。処理液によりインク滴が記録媒体上で早期に凝集するため、主走査間で各色の着弾順が異なることの色差への影響があることや、処理液によるインク滴の凝集の具合に主走査間で差異があることの影響があると推測する。また、記録媒体に付着した処理液を加熱して乾燥させる工程を有する場合、記録媒体の場所による加熱の温度むらがあると、処理液の乾燥の程度にも場所によるむらが生じ、インクの凝集の程度に影響を及ぼすことも推測される。
【００８３】
処理液の付着方法としては、上記同様インクジェット方式を用いて付着させる方法の他ほのか、バーコーター、ロールコーター、スプレーなどを用いて、塗布してもよい。なお、インクジェット方式としては、上記インク組成物の吐出方法と同様の方法が例示できる。
【００８４】
処理液付着工程は、インク付着工程の前に行っても、後に行ってもよい。また、インク付着工程の前に処理液付着工程を行う場合、処理液が乾燥する前にインク付着工程を行っても、処理液が乾燥してからインク付着工程を行ってもよい。この際、処理液付着後からインク組成物付着までの間隔は、好ましくは２０秒以内である。付着した処理液をインク付着前に乾燥させるために記録媒体を加熱してもよい。処理液の付着時及びまたは付着からインク付着までの記録媒体の表面温度は、前述のインク付着の際の記録媒体表面温度の範囲のものにしてもよい。
さらに、インク付着工程の後に処理液付着工程を行う場合、インク組成物が乾燥する前に処理液付着工程を行うことが好ましい。
【００８５】
処理液付着工程において、記録媒体に付着した処理液を乾燥させる工程を有してもよい。乾燥ユニットとして、例えば加温機能を備える、プラテンヒーターや温風ヒーターやＩＲヒーターなどや、加温機能を備えない、送風機などが用いられる。なお、乾燥温度は７０〜１１０℃とすることができる。
【００８６】
着色インク組成物と処理液を付着させる記録領域に、着色インク組成物の付着量に対する処理液の付着量が５〜５０質量％である領域を有することが好ましく、５〜４０質量％である領域を有することがより好ましく、５〜３０質量％である領域を有することがさらに好ましい。付着量が上記範囲以上であることで、画像の濃度むらやざらつきが改善され、色差がより抑制される傾向にある。また、付着量が上記範囲以下であることで、インクの凝集が進み過ぎ画像のざらつきが増し色差が増大することを防止できる。
さらに、該記録領域のうちの着色インク組成物の付着量に対する処理液の付着量が最大である領域の処理液の付着量が上記範囲であるとすることも上記の点で好ましい。
【００８７】
（処理液）
処理液は、インク組成物の成分を凝集させる凝集剤を含むものであれば、特に制限されない。必要に応じて、水、有機溶剤、消泡剤、界面活性剤を含んでいてもよい。水系の処理液が好ましい。凝集剤以外の処理液に含んでもよい成分としては、前述の着色インク組成物に含んでもよい成分のうち色剤以外のものが挙げられ、それらの種類や含有量などは着色インク組成物のものと同様に、着色インク組成物とは独立して、することができる。処理液は記録媒体を着色するために用いる組成物ではない。処理液の色材の含有量は好ましくは０．１質量％以下であり、より好ましくは０．０５質量％以下であり、さらに好ましくは０．０１質量％以下であり、下限は０．００質量％である。
【００８８】
（凝集剤）
凝集剤としては、インク組成物の成分を凝集させるものであれば、特に制限されないが、例えば、多価金属塩、有機酸又はその塩、及びカチオン性樹脂が挙げられる。凝集剤は、１種単独で用いてもよいし２種以上を併用してもよい。
【００８９】
多価金属塩としては、特に限定されないが、例えば、無機酸の多価金属塩又は有機酸の多価金属塩が挙げられる。多価金属としては、特に制限されないが、例えば、周期表の第２属のアルカリ土類金属（例えば、マグネシウム、カルシウム）、周期表の第３属の遷移金属（例えば、ランタン）、周期表の第１３属からの土類金属（例えば、アルミニウム）、ランタニド類（例えば、ネオジム）が挙げられる。これら多価金属の塩としては、カルボン酸塩（蟻酸、酢酸、安息香酸塩など）、硫酸塩、硝酸塩、塩化物、及びチオシアン酸塩が好適である。中でも、好ましくは、カルボン酸（蟻酸、酢酸、安息香酸塩など）のカルシウム塩又はマグネシウム塩、硫酸のカルシウム塩又はマグネシウム塩、硝酸のカルシウム塩又はマグネシウム塩、塩化カルシウム、塩化マグネシウム、及びチオシアン酸のカルシウム塩又はマグネシウム塩が挙げられる。なお、多価金属塩は、１種単独で用いてもよいし２種以上を併用してもよい。
【００９０】
有機酸としては、特に限定されないが、例えば、酢酸、リン酸、シュウ酸、マロン酸、クエン酸が挙げられる。このなかでも、１価あるいは２価以上のカルボン酸が好ましい。また、有機酸は塩の状態であってもよい。なお、有機酸又はその塩は１種単独で用いてもよいし２種以上を併用してもよい。なお、有機酸又はその塩で多価金属塩でもあるものは多価金属塩に含めるものとする。
【００９１】
カチオン性樹脂としては、特に限定されないが、例えば、アミン系樹脂が挙げられる。アミン系樹脂は構造中にアミノ基を有する樹脂であればよい。アミン系樹脂としては、アミン・エピクロロヒドリン縮合型ポリマー、ポリアリルアミン、ポリアリルアミン誘導体などのアミン系樹脂が挙げられる。カチオン性樹脂は、処理液に可溶な樹脂、又は樹脂エマルションなどの状態で処理液中に分散するものが好ましく、前者がより好ましい。
【００９２】
凝集剤の含有量は、処理液の総量に対して、好ましくは１〜２０質量％であり、より好ましくは３〜１０質量％である。凝集剤の含有量が上記範囲内であることにより得られる記録物の耐ブリード性及び埋まり性、耐擦性により優れる傾向にある。
【００９３】
（水）
水の含有量は、処理液の総量に対して、好ましくは５５〜８５質量％であり、より好ましくは６０〜８０質量％であり、さらに好ましくは６５〜７５質量％である。
【００９４】
（有機溶剤）
処理液に含まれる有機溶剤としては、インク組成物で例示したものと同様のものを例示することができる。有機溶剤は、１種単独で用いてもよく、２種以上を組み合わせて用いてもよい。有機溶剤の含有量は、処理液の総量に対して、好ましくは１０〜４０質量％であり、より好ましくは１５〜３５質量％であり、さらに好ましくは２０〜３０質量％である。
【００９５】
また、処理液は、有機溶剤として含窒素系溶剤を含んでいてもよい。含窒素溶剤の含有量は、処理液の総量に対して、好ましくは３〜２５質量％であり、より好ましくは５〜２２質量％であり、さらに好ましくは８〜２０質量％である。含窒素溶剤としては前述の着色インク組成物に含んでもよい含窒素溶剤を着色インク組成物に含むものとは独立して用いることができる。
【００９６】
（界面活性剤）
処理液に含まれる界面活性剤としては、インク組成物で例示したものと同様のものを例示することができる。界面活性剤の含有量は、処理液の総量に対して、好ましくは０．１〜３質量％であり、より好ましくは０．２〜２質量％であり、さらに好ましくは０．３〜１．５質量％である。界面活性剤の含有量が上記範囲内であることにより、処理液の濡れ性がより向上する傾向にある。
【００９７】
（消泡剤）
処理液に含まれる消泡剤としては、インク組成物で例示したものと同様のものを例示することができる。消泡剤の含有量は、処理液の総量に対して、好ましくは０．０３〜０．７質量％であり、より好ましくは０．０５〜０．５質量％であり、さらに好ましくは０．０８〜０．３質量％である。
【００９８】
〔記録装置〕
本実施形態で用いる記録装置は、上記記録方法により記録を行うものであって、記録媒体へインク組成物を吐出するノズルを有するインクジェットヘッドと、処理液を付着させる機構と、を有するものであれば特に限定されない。記録装置の概略断面図を図１に示す。図１に示すように、記録装置１は、記録用ヘッド２と、ＩＲヒーター３と、プラテンヒーター４と、乾燥ヒーター５と、冷却ファン６と、プレヒーター７と、ファン８と、を備えている。
【００９９】
記録用ヘッド２は記録媒体に対しインク組成物を吐出するものである。記録用ヘッド２としては、従来公知の方式を使用でき、圧電素子の振動を利用して液滴を吐出するもの、即ち電歪素子の機械的変形によりインク滴を形成するヘッドが挙げられる。ＩＲヒーター３及びプラテンヒーター４は、主に記録媒体１０の加熱をするものであるが、記録用ヘッドも加熱され得る。ＩＲヒーター３により、記録用ヘッド２側から記録媒体を加熱することができる。これにより、また、プラテンヒーター４を用いると、記録用ヘッド２側と反対側から記録媒体を加熱することができる。プラテンヒーター４は主走査方向にヒーター素子を複数個並べて構成したものであってもよい。こうすることでプラテンヒーターを入手しやすいことや製造し易く好ましい。反面、主走査方向の加熱の温度ムラが生じやすい。乾燥ヒーター５は、インク組成物が付着した記録媒体を乾燥するものである。画像が記録された記録媒体を加熱することにより、インク組成物中に含まれる水分などがより速やかに蒸発飛散して、インク組成物中に含まれる樹脂によって被膜が形成される。このようにして、記録媒体上においてインク乾燥物が強固に定着（接着）して、耐擦性に優れた高画質な画像を短時間で得ることができる。記録中、記録媒体１０は図の右から左へ搬送される。
【０１００】
記録装置１は、冷却ファン６を有していてもよい。乾燥後、冷却ファン６により記録媒体上のインク組成物を冷却することにより、記録媒体上に密着性よく被膜を形成することができる傾向にある。
【０１０１】
また、記録装置１は、記録媒体に対しインク組成物が吐出される前に、記録媒体を予め加熱する（プレ加熱する）プレヒーター７を備えていてもよい。インク組成物の吐出前に記録媒体がプレ加熱されることにより、記録媒体、特に非吸収性及び低吸収性の記録媒体上に滲みが少ない高画質な画像を形成することができる傾向にある。
【０１０２】
記録用ヘッド２はキャリッジ９に搭載されている。キャリッジ９は、図の手前−奥方向に移動しつつインク組成物をヘッドから吐出して、ヘッドが対向する記録媒体へ付着させる走査（主走査）を行う。走査と記録媒体１０の搬送（副走査）を交互に繰り返し行うことで記録が行われる。つまり走査を複数回行うことで記録が行われるシリアル方式の記録方法を行う。
【０１０３】
図３は、図１の記録装置のキャリッジ周辺の構成の一例を示す斜視図である。キャリッジ周辺の構成１１は、キャリッジ９と、キャリッジ９に搭載されたインクジェットヘッド２と、インクジェットヘッド２の一部でありインクを吐出するノズルを含む部材１２と、インク収容体（不図示）と、インク収容体からインクジェットヘッド２にインクを供給するインク供給管等のインク供給路（不図示）と、を有する。インク収容体はキャリジ９以外の場所に設けても良いしキャリジに設けても良い。また、キャリッジ９の下方に配設され記録媒体１０が搬送されるプラテン４と、キャリッジ９を記録媒体１０に対して相対的に移動させるキャリッジ移動機構１３と、記録媒体１０を副走査方向（搬送方向）に搬送するローラーである搬送手段１４と、キャリッジ９等の動作を制御する制御部ＣＯＮＴと、を備える。Ｓ１−Ｓ２の方向が主走査方向であり、Ｔ１→Ｔ２の方向が副走査方向である。なお１回の走査で主走査方向（装置の左右方向）の何れか一方の方向に走査が行われる。
【０１０４】
さらに、図１の記録装置１は、インク組成物の効率的な乾燥の観点や記録媒体とノズル面の温度の調整の観点から、記録媒体表面に風を送るためのファン８を備える。ファン８をより詳細に説明するため、図２で説明を行う。図２においても、記録用ヘッド２は、キャリッジに搭載されており、図の手前−奥方向である主走査方向に移動しつつインク組成物をヘッドから吐出して主走査を行う。図２において、キャリッジの主走査において、主走査方向（図の手前−奥方向）のキャリッジがない場所の風が記録媒体に流れている状態を示す図２（ａ）と、キャリッジがある場所の風が記録媒体に直接は流れていない状態を示す図２（ｂ）とを示す。
【０１０５】
ファン８は、記録媒体１０の幅方向（主走査方向）に並んで複数設けられており、記録媒体１０の幅の端から端に亘って常に風を帯状に送ることが可能なように設けられている。図２（ａ）において、風は記録媒体１０の表面に当たる。当たる角度は記録媒体表面に対して図の左方向へ傾いているため、当たった後、風の向きは図の左方向へ変化し、記録媒体のインクが付着した領域において、風は、記録媒体の表面に平行に記録媒体搬送方向下流側へ送られる。こうすることで記録媒体のインクが付着した領域のインクの乾燥を促進することができる。
【０１０６】
図４は図２のファン８をファンの正面から見た図である。図のようにファン８は記録媒体の幅方向に並んで複数が設けられている。
【０１０７】
一方、図２（ｂ）において、風はキャリッジの上部に設けられた風よけ部材に当たり、図の左右方向に分離して向きを変え、直接的に記録媒体表面には当たらない。こうすることで、キャリッジがある場所においては、ノズルや飛行中のインク滴が風を受けて生じる目詰まりや着弾位置ずれの影響を低減することが可能である。
【０１０８】
ただし、図２（ａ）で、記録媒体の表面に平行に送られる風は向きが若干変動することがあり、キャリッジがある場所においても記録用ヘッド２に側方向から風が吹き込むため着弾位置への影響がある。また、図２（ｂ）で、風よけ部材に当たり向きを変えた風が意図しない方向へ流れる場合があり、同様の影響が若干生じる場合がある。
【０１０９】
なお、図２のファン８は記録媒体上に風を送る送付手段の一態様を示すものであり、記録媒体に風を送ることができるものであれば、送風手段はこれに限定されるものではない。他の態様としては、記録媒体の上層に送風口を横向きにして風を流す態様や記録媒体面のインク付着領域に対して上方向から風を当てる態様が考えられる。
【０１１０】
（走査数）
走査数をパス数ともいう。記録媒体の記録するある位置に対して、あるインク組成物の記録に用いるノズル群が対向して通過する走査の回数を該インク組成物の走査数という。ノズル群はインクジェットヘッドの副走査方向に並ぶノズル列などノズルのグループであり、記録に際し該インク組成物を吐出するものである。主走査数は１回の副走査の距離を短くすることで多くすることができ、該距離を長くすることで少なくすることができる。例えば１回の副走査の距離を該ノズル群の副走査方向の長さの８分の１とすることで走査数を８（パス）とすることができる。走査数は１以上であり、２〜２０が好ましく４〜１０がより好ましい。主走査数が多いほうが、付着させるインク組成物の合計の付着量を多くすることができることやインク組成物を複数回の走査で分けて付着させることができる点で好ましい。一方、走査数が少ない場合、記録速度が早い点で好ましい。
【０１１１】
（他の実施形態）
本発明の他の実施形態は以下である。
シアンインク組成物と、マゼンタインク組成物と、イエローインク組成物と、前記各インク組成物とは色相角が異なる特色インク組成物とを含む着色インク組成物を、インクジェットヘッドから吐出して、記録媒体へ付着させるインク付着工程と、
前記着色インク組成物の成分を凝集させる凝集剤を含有する処理液を、前記記録媒体へ付着させる処理液付着工程と、を備え、
前記インク付着工程を、前記インクジェットヘッドを前記記録媒体との相対位置を走査方向へ変えながら前記着色インク組成物を吐出する走査を複数回行うことにより行い、
前記インク付着工程における前記着色インクを付着させる際の前記記録媒体の表面温度の差が１〜１０℃である、記録方法。
【０１１２】
該他の実施形態は、前述の実施形態のインク付着工程において１回の走査の最大距離が５０ｃｍ以上であることを必ずしも備えず、代わりにインク付着工程における着色インクを付着させる際の記録媒体の表面温度の差が１〜１０℃であることを備えるものである。該他の実施形態は前述したようにインク付着工程における記録物の色差が生じる原因の1つとして記録媒体の表面温度の差が生じることに注目したものである。該実施形態によれば記録媒体の表面温度の差が所定の範囲である場合においても、濃度ムラ低減、色差低減などが優れ好ましい。記録媒体の表面温度の差は前述の範囲がより好ましい。該他の実施形態は上記構成以外の構成については前述の実施形態と同様のものとすることができ、前述の実施形態が有する他の構成をさらに備えていてもよい。
【実施例】
【０１１３】
以下、本発明を実施例及び比較例を用いてより具体的に説明する。本発明は、以下の実施例によって何ら限定されるものではない。
［インク組成物用の材料］
下記の実施例、比較例、及び参考例において使用したインク組成物及び処理液の主な材料は、以下のとおりである。
〔顔料分散液〕
下記製造例１参照。
〔有機溶剤〕
ジプロピレングリコールジメチルエーテル
プロピレングリコール
２−ピロリドン
〔凝集剤〕
酢酸カルシウム一水和物
酢酸
カチオマスターＰＤ−７（四日市合成社製、カチオン性樹脂：アミン・エピクロルヒドリン縮合型ポリマー）
〔樹脂〕
Ｓｔ−Ａｃ樹脂エマルジョン（下記製造例２参照。）
〔ワックス〕
ＡＱＵＡＣＥＲ５１５（ビックケミー・ジャパン社製、ワックスエマルション）
〔界面活性剤〕
ダイノール６０７（エアープロダクツジャパン社製、アセチレンジオール系界面活性剤）
ＢＹＫ３４８（ビックケミー・ジャパン社製、シリコーン系界面活性剤）
〔消泡剤〕
サーフィノールＤＦ１１０Ｄ（日信化学工業社製、アセチレンジオール系）
【０１１４】
〔製造例１：顔料分散液の調製〕
Ｓｔ−Ａｃ酸共重合体（メタクリル酸／ブチルアクリレート／スチレン／ヒドロキシエチルアクリレート＝２５／５０／１５／１０の質量比で共重合したもの。重量平均分子量７０００、酸価１５０ｍｇＫＯＨ／ｇ）４０質量部を、水酸化カリウム７質量部、水２３質量部、及びトリエチレングリコール−モノ−ｎ−ブチルエーテル３０質量部を混合した液に投入し、８０℃で撹拌しながら加熱して樹脂水溶液を調製した。
【０１１５】
顔料２０質量部、樹脂水溶液１０質量部、ジエチレングリコール１０質量部、及びイオン交換水６０質量部を混合し、ジルコニウムビーズミルを用いて分散させて、各色の顔料分散液を得た。なお、用いた顔料は、以下のとおりである。
シアン顔料分散液  ；Ｃ．Ｉ．ＰｉｇｍｅｎｔＢ１ｕｅ１５：３
マゼンタ顔料分散液；Ｃ．Ｉ．ＰＲ１２２
イエロー顔料分散液；Ｃ．Ｉ．ＰＹ７４
オレンジ顔料分散液；Ｃ．Ｉ．ＰＯ４３
レッド顔料分散液  ；Ｃ．Ｉ．ＰＲ１７８
グリーン顔料分散液；Ｃ．Ｉ．ＰＧ７
ブルー顔料分散液  ；Ｃ．Ｉ．ＰＢ６０
ブラック顔料分散液  Ｃ．Ｉ．ＰＢｋ７
【０１１６】
〔製造例２：Ｓｔ−Ａｃ樹脂エマルジョンの調製〕
スチレン７５質量部、アクリル酸０．５質量部、メチルメタクリレート１４．５質量部、及びシクロヘキシルメタクリレート１０質量部を乳化共重合させることにより、Ｓｔ−Ａｃ樹脂エマルジョンを得た。なお、乳化重合用界面活性剤としては、ニューコールＮＴ−３０（日本乳化剤（株）製）を用い、その使用量は、モノマー全量を１００質量部として、２質量部とした。
【０１１７】
［インク組成物及び処理液の調製］
各材料を下記の表１〜２に示す組成で混合し、十分に撹拌し、各インク組成物及び処理液を得た。なお、下記の表１〜２中、数値の単位は質量％であり、合計は１００．０質量％である。表中の顔料、樹脂は、インク中の顔料、樹脂の固形分の質量％である。
【０１１８】
各インク１〜８毎に1つのインクで１０ｍｇ／ｉｎｃｈ2の付着量で記録パターンを記録して、該パターンを測色し測色値から色相角を求めた。色相角の算出式は以下のとおりである。インク１〜８は何れも色相角がお互いに異なるものであった。また前述の各色インク毎の好ましい色相角の範囲内のものであった。
∠Ｈ°＝ｔａｎ−１（ｂ*／ａ*）＋１８０（ａ*＜０の場合）
∠Ｈ゜＝ｔａｎ−１（ｂ*／ａ*）＋３６０（ａ*＞０の場合）
【０１１９】
【表１】
2019162841.tif 000002
【０１２０】
【表２】
2019162841.tif 000003
【０１２１】
［記録方法］
ヒーター素子をメディア幅方向に並べて配置したプラテンヒーターと、ヘッドの上に記録媒体幅方向に並べて配置したファンを有するＳＣ−Ｓ８０６５０（セイコーエプソン社製）の改造機（以下、「ＳＣ−Ｓ８０６５０改造機」という。）を用意した。インクジェットヘッドは図１のようなシリアル型としインクジェットヘッドからインク等を順番に記録可能とした。また、ファンにより記録媒体に向けて上方から常温（２５℃）の風を吹かせた。
【０１２２】
上記の処理液をインクジェットヘッドの記録媒体搬送方向上流のノズル列（３６０個ノズル）に充填し、各インク組成物をインクジェットヘッドの記録媒体搬送方向下流のノズル列にそれぞれ充填した。そして、インクジェット法により、インクジェットヘッドから処理液を吐出し記録媒体（Ｕｌｔｒａｆｌｅｘ製、ＪｅｔＦｌｅｘ  ＦＬ  ８０）に付着させ、次いで、インク組成物を吐出して記録媒体に付着させた。
【０１２３】
表中の反応液の付着量は、インク組成物の総付着量に対する質量％とした。また、処理液滴質量、インク滴質量は各２０ｎｇ／ｄｏｔとし、基本解像度を７２０×７２０ｄｐｉとしドット密度を調整して各付着量を調整可能とした。また、組成物毎に走査数は８パスとした。最後に、インクジェットヘッドより下流側にある二次ヒーターで、記録物を９５℃で３０秒加熱し乾燥させた。
【０１２４】
上記の記録条件で、色差評価用ベタパターンを記録する。
まず各例毎に記録する何れかの記録色のベタパターンを記録するための基本色及び特色インクの付着量を調整し決める。下記を各色ベタパターンの目標色とする。
赤色ベタパターン（Ｌ*５０，ａ*＝４０，ｂ*＝１０、∠Ｈ°＝１４）
橙色ベタパターン（Ｌ*５０，ａ*＝３０，ｂ*＝３０、∠Ｈ°＝４５）
青色ベタパターン（Ｌ*５０，ａ*＝４０，ｂ*＝−４０、∠Ｈ°＝３１５）
緑色ベタパターン（Ｌ*５０，ａ*＝−４０，ｂ*＝１０、∠Ｈ°＝１６６）
【０１２５】
インク付着量を決める際には上記の記録媒体にテスト用ベタパターンを記録し測色する。測色は、ＧｒｅｔａｇＭａｃｂｅｔｈ製  Ｓｐｅｃｔｒｏｌｉｎｏを用いた。測色はＣＩＥＬＡＢ表色系に基づくものである。測色値の色相角（∠Ｈ°）が上記の目標色の値となるようにインク付着量を調整して決める。
こうして、各例毎に各色ベタパターンの記録に用いる各インクの付着量を決めた。
なお参考例３はシアンインク単独で記録して得られるシアン色のパターンであり、付着量１０ｍｇ／ｉｎｃｈ2とした。
【０１２６】
上記の決めたインク付着量にて上記の記録条件で色差評価用ベタパターンの連続記録を行い記録物を作製した。なお、ベタパターンはメディアの横幅方向の記録可能な全範囲に記録しかつメディア送り方向に１５００ｍｍの長さで記録した。なお、記録媒体の横幅は、記録媒体を切断又は貼り付けることにより横幅を調整し、１回の走査の最大距離を表３〜４中の値に調整した。
用いたインク組成物の種類は、表３〜４に記載のとおりである。
【０１２７】
上記記録方法において、記録中のヘッドと対向するプラテン領域における記録媒体の表面温度が表３〜４中の加熱温度になるようにプラテンヒーターを制御した。具体的には、表面温度が３５℃以上とする場合は、プラテンヒーターをオンにして調整し、表面温度が２５℃度以下とする場合はプラテンヒーターを使用せず室温を調整し記録時の記録媒体の表面温度を調整した。
【０１２８】
記録媒体の表面温度は、プラテンに支持されている記録媒体のヘッドの主走査中に対向しうる領域の全体を１ｃｍ四方間隔で温度を測定し、該領域の記録媒体の表面の記録中の最高温度とした。測定は非接触式の温度計で測定した。温度測定は前述の条件で記録を１時間連続して行い、記録開始の１分後から測定を開始し記録中の１分ごとに測定した。
【０１２９】
【表３】
2019162841.tif 000004
【０１３０】
【表４】
2019162841.tif 000005
【０１３１】
〔色差評価〕
得られた記録物のベタパターン中を２×２ｃｍ四方の領域に区切って領域ごと測色し、各領域間の最も大きな色差（ΔＥ００）を得た。以下の評価基準により色差の発生について評価した。領域間最大色差である。
Ａ：領域間最大色差がΔＥ≦１．０
Ｂ：領域間最大色差が１．０＜ΔＥ≦１．５
Ｃ：領域間最大色差が１．５＜ΔＥ≦２．０
Ｄ：領域間最大色差が２．０＜ΔＥ
【０１３２】
〔耐擦性〕
得られた記録物の記録領域を３０×１５０ｍｍ矩形に切断し、学振型摩擦堅牢度試験機ＡＢ−３０１（テスター産業社製の商品名）に平織布を取り付けた摩擦子で、荷重５００ｇをかけて１０回擦った。そして、記録媒体の記録パターン部分の剥がれを目視で観察し、下記評価基準により評価した。
Ａ：剥がれが生じず、布への転写もない。
Ｂ：剥がれが生じないが、布への転写がある。
Ｃ：剥がれが生じ、剥がれた面積が評価面積に対し１割未満である。
Ｄ：剥がれが生じ、剥がれた面積が評価面積に対し１割以上である。
【０１３３】
〔耐水摩擦性〕
得られた記録物の記録領域を３０×１５０ｍｍ矩形に切断し、学振型摩擦堅牢度試験機ＡＢ−３０１（テスター産業社製の商品名）に水を含ませた平織布を取り付けた摩擦子で、荷重２００ｇをかけて１０回擦った。そして、記録媒体の記録パターン部分の剥がれを目視で観察し、下記評価基準により評価した。
Ａ：剥がれが生じず、布への転写もない。
Ｂ：剥がれが生じないが、布への転写がある。
Ｃ：剥がれが生じ、剥がれた面積が評価面積に対し１割未満である。
Ｄ：剥がれが生じ、剥がれた面積が評価面積に対し１割以上である。
【０１３４】
〔画質ざらつき評価〕
得られた記録物の記録領域を目視にて確認し、下記評価基準により評価した。
Ａ：ざらつき感が全くない
Ｂ：ざらつき感が気になるが問題ない
Ｃ：ざらつき感がある
【０１３５】
〔濃度むら（ブリード）〕
得られた記録物の記録領域を目視にて確認し、下記評価基準により評価した。
Ａ：ベタパターン面内に濃淡のムラ無し。
Ｂ：ベタパターン面内に細かな濃淡のムラが若干ある。
Ｃ：ベタパターン面内に大きな濃淡のムラが目立つ。
【０１３６】
以上の結果から、シアンインク、マゼンタインク、イエローインク、特色インク、処理液を用い、１回の走査の最大距離が５０ｃｍ以上である実施例は何れも、得られる記録物の色差抑制が優れることが分かった。
これに対し、そうではない比較例は何れも色差抑制が劣っていた。以下詳細に記す。
【０１３７】
実施例７〜１０、４の比較から、インク付着時の記録媒体の表面温度が低い場合に、得られる記録物の耐擦性及び耐水摩擦性、ざらつきや濃度むら抑制が相対的に低下することがわかる。また濃度むら抑制が低下したためか色差抑制もやや低下したと推測する。
一方、記録媒体の表面温度が高いほど、得られる記録物の耐擦性及び耐水摩擦性、ざらつきや濃度むらが向上するが、相対的に、色差が低下することがわかる。このことから、付着時の記録媒体の加熱温度を最適なものにする場合に、濃度むら抑制や色差抑制がより優れるものにできる。
【０１３８】
実施例１１〜１３、１７、４の比較から、１回の走査の最大距離が長いほど、色差が発生しやすく、１回の走査の最大距離が短いほど、発生しにくくなることがわかる。このことから、該距離が長く表示用などに有用な記録物を得る場合であっても、優れた色差抑制が図れる点で本実施形態が特に有用である。
【０１３９】
実施例１５、１６、４の比較から、処理液の付着量が多目でも少な目でも色差抑制がやや劣った。処理液付着量が少ないと濃度むら抑制がやや劣り、濃度ムラにより色差抑制がやや低下したと推測する。一方、処理液付着量が多いとインクの成分の凝集が促進されるため耐擦性がやや低下することや画質のざらつきがやや増加する傾向が見られた。画質のざらつきに起因して色差が大きくなる傾向があると推測する。処理液のより好ましい付着量があることが判った。
【０１４０】
実施例１４、４の比較から、インクの含窒素溶剤の含有量が多い方が色差抑制により優れることが判った。
【０１４１】
これに対して、比較例１〜８は、特色インクを用いないことで色差抑制が劣った。
また、参考例１、２は、１回の走査の最大距離が短い場合には、色差の問題は生じないことから、色差の問題は特に１回の走査の最大距離が長い場合に固有の問題であることがわかる。しかし表示用などに有用な記録物とすることはできなかった。
参考例３から、一次色を記録するのであれば色差の発生は問題とならないことがわかった。
参考例４は、処理液を用いないことで画質（濃度むら）が劣っていた。処理液によりインクの成分を凝集させ早期に固定することができず、インクがブリードして濃度むらが発生した。濃淡ムラのために画像がざらついて見えた。濃度むらのために記録すべき記録色が安定して再現できず色差抑制も低下したと推測する。
参考例５は、インク付着時の記録媒体温度を高くすることで濃度ムラ抑制は向上したが、インク付着時の加熱温度が高く温度ムラの発生が大きく色差が悪化した。
なお表中には記載しなかったが、各実施例のインクセットにインク９（ブラックインクを加えることで、より低明度、低彩度の黒色の記録が可能なことがわかった。
【０１４２】
なお、記録中のヘッドの主走査によりヘッドと対向しうるプラテン領域の記録媒体の表面温度のうちの最大温度（表中の温度）と最低温度の温度差を確認した所、実施例１２は４℃であり、実施例１３は６℃であり、実施例１１は１℃であり、実施例１７は２℃であり、実施例１０は１０℃であり、参考例1は１℃未満であった。このことから１回の走査の最大距離が大きいほうが温度差が大きくなり易いことがわかった。また記録媒体の表面温度が高いほうが温度差が大きい傾向があった。
【０１４３】
また表中には記載しなかったが、実施例１２において、プラテンヒーターの加熱する温度をより高くし、ファンから送風する風の風力を１ｍ／ｓから２ｍ／ｓへ上げて、プラテンヒーターにより加熱される記録媒体の温度が風により低下することを利用して記録時の記録媒体表面温度を実施例１２と同じ３５℃に制御したところ、最高温度と最低温度の温度差を小さくすることが難しく温度差は６℃になり、色差評価はＣとなった。このことから記録媒体の温度差が大きいことが色差の原因の少なくとも1つであることがわかった。
【０１４４】
なお前述の他の実施形態においては上記の実施例が比較例になる場合や比較例が実施例になる場合がある。
【符号の説明】
【０１４５】
１…記録装置、２…記録用ヘッド、３…ＩＲヒーター、４…プラテンヒーター、５…乾燥ヒーター、６…冷却ファン、７…プレヒーター、８…ファン、９…キャリッジ、１０…記録媒体、１１…キャリッジ周辺の構成、１２…ノズルを含む部材、１３…キャリッジ移動機構、１４…搬送手段
【図１】
2019162841.tif 000006
【図２】
2019162841.tif 000007
【図３】
2019162841.tif 000008
【図４】
2019162841.tif 000009